(57)【特許請求の範囲】
【請求項１】
画像データと音声データとを夫々自己のデータ部とこのデータに関連する付帯情報部とを含んでなるファイルを形成するようにして記録可能な静止画カメラであって、
被写体像を結像する光学手段と、
上記光学手段により結像された被写体像を電気信号に光電変換する撮像手段と、
上記撮像手段により出力された電気信号をデジタル画像データに変換するＡ／Ｄ変換手段と、
上記Ａ／Ｄ変換手段により出力された画像データとともに音声データを関連付けて記録媒体に記録可能な記録手段と、
を備え、
上記記録手段により画像データの付帯情報部に自己に関連付けられた音声データのファイル名を記録するか、または音声データの付帯情報部に自己に関連付けられた画像データのファイル名を記録するとともに、
上記記録媒体に記録可能な画像枚数と録音可能時間の双方を報知可能となしたことを特徴とする静止画カメラ。
【発明の詳細な説明】
【０００１】
【産業上の利用分野】
本発明は、静止画カメラに関し、特に、記録媒体に記録可能な画像枚数と録音可能時間の双方を報知可能な静止画カメラに関する。
【０００２】
【従来の技術】
画像情報を画像データとして記録媒体に記録する画像記録装置においては、画像情報対応の音声データを記録する構成を有する装置も実用化されている。従来のこの種画像記録装置の構成例が図１３に示されている。この例は、いわゆる電子スチルカメラ等の静止画カメラについての構成例である。図１３において、被写体像は、レンズ系１により撮像装置としてのＣＣＤ２に結像され、電気画像信号に変換される。この画像信号は、撮像プロセス部３で所定の撮像処理が施され、Ａ／Ｄコンバータ４でデジタル画像データに変換された後、フレームメモリ５に記録される。また、Ａ／Ｄコンバータ４からの画像データは、Ｄ／Ａコンバータ１４でアナログ信号に変換されてビデオ出力端子１６に供給されるとともに、ＥＶＦ（電子ビューファインダー）１５に供給されてモニター表示される。
【０００３】
フレームメモリ５は、メモリコントローラ６により書き込み／読み出しの制御を受ける。フレームメモリ５から読み出された画像データは、圧伸回路７で圧縮処理が施されて、インタフェース部９を介して記録媒体１０に記録される。システムコントローラ８は、操作スイッチ１３Ａ〜１３Ｊの操作（動作指示）情報をスイッチ回路１２を介して受け、この装置の全体を制御するもので、ＬＣＤ１１にそのときの動作状態を表示する。
【０００４】
画像再生時には、逆の処理過程を経て再生される。すなわち、記録媒体１０から読み出された画像データは、インタフェース部９を介して圧伸回路７に供給され、伸長処理が施されてフレームメモリ５に記録される。フレームメモリ５から読み出した画像データは、Ｄ／Ａコンバータ１４でアナログ信号に変換され、ＥＶＦ１５またはビデオ出力端子１６を介してモニタ上に再生される。
【０００５】
一方、音声信号の記録時には、マイク２１または外部ライン入力端子２２からの音声信号が音声前処理部２０において所定の前処理が施され、Ａ／Ｄコンバータ１９でデジタル音声データに変換された後、音声メモリ１８に記録される。音声データは、また音声符号化／復号化回路部１７で符号化され、インタフェース部９を介して記録媒体１０に記録される。
【０００６】
音声再生時には、記録媒体１０からインタフェース部９を介して読み出された音声データは、音声符号化／復号化回路部１７で復号化された後に、Ｄ／Ａコンバータ２３でアナログ信号に変換され、更に音声後処理部２４で所定の音声処理が施された後、音声出力端子２５やスピーカ２６に供給される。
【０００７】
スイッチ回路１２に接続されたカメラ動作指示用のスイッチ群は、公知のスイッチ群であり、トリガ１スイッチ１３Ａ、トリガ２スイッチ１３Ｂ、−スイッチ１３Ｃ、＋スイッチ１３Ｄ、録音／再生（ＲＥＣ／ＰＬＡＹ）スイッチ１３Ｅ、画像／音声（ＰＩＣＴ／ＳＯＵＮＤ）スイッチ１３Ｆ、再生モードスイッチ１３Ｇ、ノーマルモードスイッチ１３Ｈ、高速連写スイッチ１３Ｉ、低速連写スイッチ１３Ｊから成る。
【０００８】
かかる構成において、従来は画像情報に対応する音声情報を記録するには、専用の操作スイッチを設け、このスイッチ操作により音声情報の記録及び再生を行わせていた。
【０００９】
【発明が解決しようとする課題】
ところで、従来、記録媒体に画像情報や音声情報を記録する場合、記録媒体に記録可能な画像枚数と録音可能な時間の双方をユーザーに報知可能とした静止画カメラはなかった。そのため、ユーザーは、記録前にどの位記録できるかを確認することができず、記録中において突然に記録媒体の容量不足が発生してしまい、貴重な映像や音声を記録できなくなってしまうことがあった。
【００１０】
そこで、本発明の目的は、上記問題点を解消し、記録媒体に記録可能な画像枚数と録音可能時間の双方を報知可能となし、確実に画像記録および録音が可能な静止画カメラを提供することにある。
【００１１】
【課題を解決するための手段】
前述の課題を解決するため、本発明による静止画カメラは、画像データと音声データとを夫々自己のデータ部とこのデータに関連する付帯情報部とを含んでなる一まとまりの領域を形成するようにして記録可能な静止画カメラであって、被写体像を電気信号に光電変換する撮像手段と、上記撮像手段により出力された電気信号をデジタル画像データに変換するＡ／Ｄ変換手段と、上記Ａ／Ｄ変換手段により出力された画像データとともに音声データを関連付けて記録媒体に記録可能な記録手段と、を備え、上記記録手段は、さらに画像データの付帯情報部に自己に関連付けられた音声データのファイル名を記録するか、または音声データの付帯情報部に自己に関連付けられた画像データのファイル名を記録するとともに、上記記録媒体に記録可能な画像枚数と録音可能時間の双方を報知可能となしたことを特徴とする。
【００１２】
【作用】
本発明では、画像データと音声データを関連付けて記録媒体に記録することにより、画像データと音声データの同時再生を可能とし、画像データと音声データを関連付けて記録媒体に記録する際には、記録媒体に記録可能な画像枚数と録音可能時間の少なくとも一方を少なくとも記録前に液晶モニタやＥＶＦ等の表示手段に表示して静止画カメラのユーザーに報知することを可能にしている。さらに、音声データのみを記録媒体に記録する場合であっても、録音可能時間を少なくとも記録前に液晶モニタやＥＶＦ等の表示手段に表示して静止画カメラのユーザーに報知することを可能にしている。
【００１３】
【実施例】
次に、本発明の実施例について図面を参照しながら説明する。図１は、本発明に関連する画像記録装置の一例を示す構成ブロック図である。図１において、図１３と同一符号が付されている構成部は同様機能を有する構成部を示す。本例では、記録、再生時にプログラム動作を指示するプログラムスイッチ１３Ｋとスイッチ回路１２を介して受信したスイッチ情報により記録すべき音声ファイル情報を管理、制御する音声ファイル情報管理部２７が設けられている。音声ファイル情報管理部２７は、本例のように別個に設けても良いがシステムコントローラ８のＲＯＭ内に格納しておいても良い。
【００１４】
画像情報、音声情報、制御情報等が記録媒体内に格納されている状態での記録媒体のデータ配置例が図２に示されている。図２のように、記録媒体内の領域は、システム管理領域、コントロールファイル領域、画像１、画像２、画像３、音声１、空領域から成る。画像領域は、画像ファイルヘッダと画像データから成り、音声領域は音声ファイルヘッダと音声データから成る。
【００１５】
画像再生時、＋キー１３Ｄを押し続けた時には、モニタ上に表示される再生画のローテーションは、図３に示す如く、画像１、画像２、画像３と続き、画像データが存在しないときにはミュート画面が再生され、このときのＬＣＤ１１上の表示が図４に示されている。
【００１６】
本例における記録動作を図５を参照して具体的に説明すると、同図（Ａ）のミュート画に対して音声ファイルヘッダ内に音声記録時間長、日付等の音声ファイル管理データが記録される場合には、トリガ１スイッチ１３Ａの押下により音声ファイルの記録を開始し、トリガ１スイッチ１３Ａの再押下により記録が終了する（記録１）。同図（Ｂ）は、画像１が再生されている状態であり、（Ａ）に加えて、音声ファイルヘッダ内に画像１のファイル名が対応画像として記録されるか、または画像１ファイルヘッダ内に音声１のファイル名が対応音声として記録される（記録２）。また、同図（Ｃ）においては、トリガ１スイッチ１３Ａの押下で、音声ファイルの記録が開始され、再押下により記録が終了する。このトリガ１スイッチ１３Ａの押下を繰り返すことにより、選択再生された画像１、画像２、画像３毎に対応する音声ファイルが記録される（記録３）。画像選択は、−スイッチ１３Ｃ、＋スイッチ１３Ｄの操作により行われる。プログラムスイッチ１３Ｋが押された場合には、このときの記録シーケンスの終了はトリガ２スイッチ１３Ｂの操作により行われる。これらのデータは１つのプログラムとしてコントロールファイル内に記録される。コントロールファイルの一例が図示されている。これらの動作は、音声ファイル情報管理部２７が実行する。
【００１７】
スイッチ１３Ｅが再生（ＰＬＡＹ）を、スイッチ１３Ｆが音声（ＳＯＵＮＤ）を指示しているときには、システムコントローラ８は、音声ファイルヘッダ内の対応画像ファイル名を読み出し、図６（Ａ）に示すように画像１と対応する音声ファイル１が再生される（図５（Ｂ）の記録が再生）。また、スイッチ１３Ｅが再生を、スイッチ１３Ｋによりプログラム指示されているときには、コントロールファイル内のプログラムに従って図６（Ｂ）に示すように、再生される（図５（Ｃ））の記録が再生）。このとき、音声ファイルヘッダ内に対応画像ファイル名がない場合は、音声ファイルのみ再生する（図５（Ａ）の記録が再生）。上述のように、プログラム記録モード時、トリガ１スイッチ１３Ａを各音声ファイルの始まり、終りに対応させ、トリガ２スイッチ１３Ｂをシーケンスの終りに対応させている。
【００１８】
上述例によれば、音声ファイルと映像ファイルを同時かつ連続して再生するモードが簡単な動作により可能になる。さらに再生順序が１つのファイルになっているので後の再編成が容易に実現できる。また、同一の操作部により別の指令を生成せしめることができるため構成が簡素化される。しかも画像と音声との対応付け記録を繰り返す場合のシーケンスとこのシーケンスからの脱出のための操作が煩雑にならないため、操作性が良く、誤操作の虞れも極めて少なくなる。
【００１９】
本例では、残量表示スイッチ１３Ｌが設けられ、このスイッチ１３Ｌが操作されると、記録媒体をサーチして記録可能画像枚数や記録可能時間等の記録媒体の記録可能残量をＬＣＤ１１やＥＶＦ１５等のモニタに表示したり、システムコントローラ８の動作によりスピーカ２６から残量情報を音声出力する。また、残量不足状態に至ったときには、警告することもできる。モニタ上の表示はフェードアウトや数値表示等により行うことができる。すなわち、画像に関しては、ＬＣＤ上に残り画像記録可能枚数を表示し、音声に関しては、システムコントローラ８（または音声ファイル情報管理部２７）が記録媒体中の空領域量から残り時間を算出し、算出された残り時間をインタフェース部９を介して音声符号化／復号化回路部１７に送出し、復号された音声データがＤ／Ａコンバータ２３、音声後処理部２４を介してスピーカ２６に出力される。
【００２０】
本発明に関連する次の例は、図１３に示す従来の画像記録装置のハードウェア構成を簡略化するものである。図１３に示す従来の画像記録装置は画像処理系及び音声処理系にそれぞれにＡ／Ｄコンバータ４，１９とＤ／Ａコンバータ１４，２３が必要であるため、コストアップや実装高密度化の障害となる等の問題がある。本例は、画像処理系及び音声処理系に対して１つのＡ／Ｄコンバータ、Ｄ／Ａコンバータを兼用して構成の簡略化を図るものである。図７は、本例による画像記録装置の構成ブロック図である。同図において、図１と同一符号が付されている構成部は、同様な機能を有する構成部を示す。
【００２１】
本例では、図示の如く、切換スイッチ３１，３２，３６，３８、バッファメモリ３５、音声圧伸回路部３７を備える。切換スイッチ３２は、Ａ／Ｄコンバータ３４への入力を切り換え出力し、切換スイッチ３１は、Ｄ／Ａコンバータ３３からの出力を切り換え出力し、切換スイッチ３６は、バッファメモリ３５と画像圧伸回路部７または音声圧伸回路部３７の接続を切り換え、切換スイッチ３８は、画像圧伸回路部７または音声圧伸回路部３７とインタフェース部９の接続を切り換える。これらの切換スイッチの切換動作は、スイッチ回路部１２を介して受信した音声モード／画像モードの選択モード信号（音／画切換信号）により制御される。すなわち、音声モードでは、各切換スイッチは、音声処理系（図のＳ端子）を選択し、画像モードでは各切換スイッチは、画像処理系（図のＩ端子）を選択する。
【００２２】
図８は、本発明に関連する更に他の例を示し、図７の例の改良構成であり、画像と音声の同時再生を可能とする例である。本例では、画像メモリ４４と音声メモリ４５を別個に設け、切換スイッチ３２、Ａ／Ｄコンバータ３４を介して送出される画像データと音声データを切換スイッチ４３を介して各対応メモリに記録する。また、音声再生系及び画像再生系にそれぞれＤ／Ａコンバータ４１と４２を設置し、音声メモリ４５と画像メモリ４４から読み出されたデータをアナログ信号に変換して出力する。
【００２３】
例えば、記録媒体１０から読み出された画像データは、先ず切換スイッチ３８を介して画像圧伸回路部７に供給され、そこで、伸長処理されて画像メモリ４４に記録される。次に、同様に記録媒体１０から読み出された音声データは、音声圧伸回路部３７で伸長処理されて音声メモリ４５に記録される。画像メモリ４４と音声メモリ４５からそれぞれ読み出された画像データと音声データは、それぞれＤ／Ａコンバータ４２と４１でアナログ信号に変換されて、同時再生出力が得られる。
【００２４】
本発明の一実施例は、画像専用記録再生装置を簡易な構成で音声記録再生に対応させるものである。従来、既存の画像専用記録再生装置を音声記録再生対応にする手段はなく、メーカーは設計変更して音声処理回路を加えたものを作り直さなければならず、ユーザはこの音声対応の装置を買い求めなければならずコストアップにつながっていた。
【００２５】
本実施例は、この問題を解決するもので、パーソナルコンピュータ等で制御できるよう汎用のＲＳ２３２Ｃのような通信制御手段（ＲＯＭ格納ソフトウェア）を備える画像記録装置を利用する。
【００２６】
図９は、本実施例の構成ブロック図を示し、通信制御部１２０と通信インタフェース（Ｉ／Ｆ）部１１０を内蔵する画像記録再生装置１００と、通信制御部２０２と通信インタフェース部２０１を内蔵する音声記録再生装置２００とを有線または無線回線で接続する構成である。音声記録再生装置２００では、スイッチ回路２０４を介して受信した動作指示信号に従ってシステムコントローラ２０３が全体的な制御を行い、動作状態がＬＣＤ等の表示部２０５に表示される。ライン入力端子２０７またはマイク２０８からの音声データは、前処理部２０９にて所定の前処理が施された後、Ａ／Ｄコンバータ２１０でデジタルデータに変換され、更に音声符号化／復号化回路部２１１で符号化される。符号化された音声データは、データバッファ２０６に格納される。また、Ｄ／Ａコンバータ２１２と後処理部２１３を介してスピーカ２１５やライン出力端子２１４に供給される。
【００２７】
再生時には、データバッファ２０６から読み出された音声符号化／復号化回路部２１１で復号化され、Ｄ／Ａコンバータ２１２でアナログ信号に変換された信号は、後処理部２１３で所定の後処理が施された後、ライン出力端子２１４またはスピーカ２１５に出力される。
【００２８】
図１０には本実施例の具体的構成図が示されている。画像記録再生装置１００と音声記録再生装置２００は、それぞれの通信インタフェース部を介して通信ケーブル３００で接続されており、画像記録再生装置１００からの画像信号と、音声記録再生装置２００からの音声信号とはモニタ４００に供給されて画像が表示されるとともに音声が出力される。本例では、画像記録再生装置１００はカメラであり、メモリカード等の記録媒体１０１、ファインダー１０２、ＬＣＤ表示部１０３、ズームスイッチ１０４、トリガスイッチ１０５等が設置されており、音声記録再生装置２００には、ＬＣＤ表示部２０５、マイク２０８、スピーカ２１５、トリガスイッチ２１６等が設置されている。
【００２９】
本実施例における音声記録再生装置２００の動作を図１１のフローチャートを参照して説明する。先ず、通信ケーブル３００が接続され、通信相手（画像記録再生装置１００）接続が検出されるのを待ち（ステップＳ１）、記録モード命令を受信したか否かを判定する（ステップＳ２）、記録モード命令を受信していなければ、再生モード命令を受信したか否かを判定し（ステップＳ３）、受信していなければステップＳ２の処理に戻り、受信していれば再生モードに移行する（ステップＳ４）。続いて、再生開始命令の受信を判定し（ステップＳ５）、受信していれば、符号データを受信し、伸長復号化して音声データを再生し（ステップＳ６）、再生終了命令の受信を判定する（ステップＳ７）。ステップＳ７において、再生終了命令を受信していなければステップＳ６の処理に戻り、受信していれば通信相手の断絶（通信ケーブルの離脱）を判定し（ステップＳ８）、断絶していなければステップＳ５の処理に戻る。ステップＳ５において、再生開始命令を受信していないときにもステップＳ８の処理に移行する。ステップＳ８において、通信相手が断絶していれば処理を終了する。
【００３０】
一方、ステップＳ２において、記録モード命令を受信していれば、記録モードに移行し（ステップＳ９）、記録開始命令の受信を判定する（ステップＳ１０）。ここで、記録開始命令を受信していなければ、ステップＳ１３の処理に移行し、受信していれば、音声データを圧縮符号化し、符号データを送出する（ステップＳ１１）。次に、記録終了命令の受信を判定し（ステップＳ１２）、受信していなければ、ステップＳ１１の処理に戻り、受信していれば、通信相手の断絶を判定する（ステップＳ１３）。ここで、通信相手が断絶していなければステップＳ１０の処理に戻り、断絶していれば処理を終了する。
【００３１】
次に、画像再生記録装置１００の動作を図１２のフローチャートを参照して説明する。先ず、通信相手接続の検出を待ってから（ステップＳ２１）、音声モードに移行し（ステップＳ２２）、記録モードか否かを判定する（ステップＳ２３）。ここで、記録モードであれば、記録モード命令を送出し（ステップＳ２４）、トリガスイッチの操作の有無を判定し（ステップＳ２５）、トリガスイッチが操作されていれば記録開始命令を送出する（ステップＳ２６）。その後、データを受信し、記録媒体にデータを書き込み（ステップＳ２７）、トリガスイッチの再操作（再押下）を判定し（ステップＳ２８）、操作されていなければステップＳ２７の処理に戻り、操作されていれば、記録終了命令を送出し（ステップＳ２９）、通信相手断絶を判定する（ステップＳ３０）。通信相手が断絶でなければ、ステップＳ２５の処理に戻り、断絶していれば処理を終了する。
【００３２】
ステップＳ２３において、記録（ＲＥＣ）モードでなければ、再生モード命令を送出し（ステップＳ３１）、再生ファイルを選択し（ステップＳ３２）、トリガスイッチの操作（押下）を判定する（ステップＳ３３）。トリガスイッチが操作されていれば、再生開始命令を送出し（ステタを読み出し、データを送信し（ステップＳ３５）、全データが読み出されたか否かを判定する（ステップＳ３６）。データが読み出されていなければステップＳ３５の処理に戻り、読み出されていれば、再生終了命令を送出し（ステップＳ３７）、通信相手の断絶を判定する（ステップＳ３８）。断絶していなければステップＳ３２の処理に戻り、断絶していれば処理を終了する。尚、ステップＳ３３において、トリガスイッチが操作されていない場合もステップＳ３８の処理に移行する。
【００３３】
本実施例によれば、手持ちの画像専用記録再生装置のＲＯＭ変更依頼及び音声記録再生装置の購入のみで画像音声記録再生装置を構成することができる。
【００３４】
【発明の効果】
以上説明したように、本発明による静止画カメラは、画像データと音声データを関連付けて記録媒体に記録することにより、画像データと音声データの同時再生が可能であり、画像データと音声データを関連付けて記録媒体に記録する場合には、記録媒体に記録可能な画像枚数と録音可能時間の少なくとも一方を少なくとも記録前に液晶モニタやＥＶＦ等の表示手段に表示して静止画カメラのユーザーに報知することが可能なので、画像データと音声データを関連付けて確実に記録することができ、音声データのみを記録媒体に記録する場合であっても、録音可能時間を少なくとも記録前に液晶モニタやＥＶＦ等の表示手段に表示して静止画カメラのユーザーに報知することが可能なので音声データを確実に記録することができる。
【図面の簡単な説明】
【図１】本発明に関連する画像記録装置の一実施例を示す構成ブロック図である。
【図２】画像情報、音声情報、制御情報等が記録媒体内に格納されている状態での記録媒体のデータ配置例を示す図である。
【図３】画像再生時、＋キー１３Ｄを押し続けた時に、モニタ上に表示される再生画のローテーションを示す図である。
【図４】画像データが存在しないときにミュート画面が再生されている状態での表示画面を示す図である。
【図５】本例における記録動作を説明する図である。
【図６】本例におけるシステムコントローラ８の動作を説明するための図である。
【図７】本発明に関連する他の例による画像記録装置の構成ブロック図である。
【図８】本発明に関連する更に他の例を示す構成ブロック図である。
【図９】本発明の一実施例の構成ブロック図である。
【図１０】図９に示す実施例の具体的接続構成図が示されている。
【図１１】本実施例における音声記録再生装置２００の動作を示すフローチャートである。
【図１２】本実施例における画像再生記録装置１００の動作を示すフローチャートである。
【図１３】従来の画像記録装置の構成例を示すブロック図である。
【符号の説明】
１  レンズ
２  ＣＣＤ
３  撮像プロセス部
４，１９，３４  Ａ／Ｄコンバータ
５  フレームメモリ
６  メモリコントローラ
７  圧伸回路
８  システムコントローラ
９  インタフェース部
１０  記録媒体
１１  ＬＣＤ
１２  スイッチ回路
１３Ａ〜１３Ｋ  操作スイッチ
１４，２３，３３，４１，４２  Ｄ／Ａコンバータ
１５  ＥＶＦ
１６  ビデオ出力端子
１７  音声符号化／復号化回路部
１８  音声メモリ
２０  音声前処理部
２１，２０８  マイク
２２  音声ライン入力端子
２４  音声後処理部
２５  音声ライン出力端子
２６  スピーカ
２７  音声ファイル情報管理部
３１，３２，３６，３８，４３  切換スイッチ
３５  バッファメモリ
３７  音声圧伸回路
４４  画像メモリ
４５  音声メモリ
【図１】
0003581144.tif 000002
【図２】
0003581144.tif 000003
【図３】
0003581144.tif 000004
【図４】
0003581144.tif 000005
【図５】
0003581144.tif 000006
【図６】
0003581144.tif 000007
【図７】
0003581144.tif 000008
【図８】
0003581144.tif 000009
【図９】
0003581144.tif 000010
【図１０】
0003581144.tif 000011
【図１１】
0003581144.tif 000012
【図１２】
0003581144.tif 000013
【図１３】
0003581144.tif 000014